(57)【要約】      （修正有）【課題】電解液を再注入することができ、電池の内部構造及び電解液が空気中に露出されることを最小化することができる二次電池を提供する。【解決手段】電極組立体及び電解液が内部に収容されている収容空間を包囲する外壁に柱状に形成され、内部に電解液が流動する流路を含むボディ部と、ボディ部の内部にボディ部の長手方向に延長して形成され、一側端部が圧力を受けると、収容空間が位置した内側に向かって直線移動し、圧力が除去されると、外側に向かって直線移動するピンスイッチと、ボディ部の外周面に結合され、ピンスイッチの直線移動方向と平行な方向に移動する操作部と、操作部の中心部に突出して形成され、操作部の移動によってピンスイッチの一側端部に圧力を印加する圧力印加部と、ピンスイッチの他側端部に形成され、ピンスイッチが内側に向かって直線移動する際に流路を開放し、外側に向かって直線移動する際に流路を閉鎖する開閉部とを含む。【選択図】図３
2019003942.tif 000002
【特許請求の範囲】
【請求項１】
電極組立体及び電解液が内部に収容されている収容空間を包囲する外壁に柱状に形成され、内部に電解液が流動する流路を含むボディ部と、
前記ボディ部の内部に前記ボディ部の長手方向に延長して形成され、一側端部が圧力を受けると、前記収容空間が位置した内側に向かって直線移動し、前記圧力が除去されると、外側に向かって直線移動するピンスイッチと、
前記ボディ部の外周面に結合され、前記ピンスイッチの前記直線移動方向と平行な方向に移動する操作部と、
前記操作部の中心部に突出して形成され、前記操作部の移動によって前記ピンスイッチの一側端部に圧力を印加する圧力印加部と、
前記ピンスイッチの他側端部に形成され、前記ピンスイッチが前記内側に向かって直線移動する際に前記流路を開放し、前記外側に向かって直線移動する際に前記流路を閉鎖する開閉部とを含む二次電池。
【請求項２】
弾性の性質を有し、前記圧力が除去されると、前記ピンスイッチに復元力を提供する弾性部をさらに含む、請求項１に記載の二次電池。
【請求項３】
前記弾性部は、前記ピンスイッチの柱に沿って螺旋形に長く形成される、請求項２に記載の二次電池。
【請求項４】
前記ピンスイッチの柱及び前記弾性部を包囲し、前記ピンスイッチの柱方向に延長して形成されるカバー部をさらに含む、請求項３に記載の二次電池。
【請求項５】
前記カバー部は、耐食性の性質を有する、請求項４に記載の二次電池。
【請求項６】
前記ボディ部の内周面に結合され、内部に前記流路を含む支持台をさらに含む、請求項１に記載の二次電池。
【請求項７】
前記ピンスイッチは、前記支持台を貫いて挿入され、
前記ピンスイッチの一側端部は、前記支持台から外部に突出された、請求項６に記載の二次電池。
【請求項８】
弾性の性質を有し、前記圧力が除去されると、前記ピンスイッチに復元力を提供する弾性部をさらに含み、
前記弾性部は、前記支持台及び前記ピンスイッチを連結する、請求項６に記載の二次電池。
【請求項９】
前記電解液が前記流路に流出入し、前記支持台の内側端部及び外側端部にそれぞれ形成される第１及び第２流出入ホールをさらに含む、請求項６に記載の二次電池。
【請求項１０】
前記開閉部は、前記第１流出入ホールを開放または閉鎖する、請求項９に記載の二次電池。
【請求項１１】
前記支持台は、前記ボディ部の内周面にねじ結合される、請求項６に記載の二次電池。
【請求項１２】
前記操作部は、前記電解液が前記流路に流出入する第３流出入ホールを含む、請求項１に記載の二次電池。
【請求項１３】
前記ボディ部は、外部に突出して形成される、請求項１に記載の二次電池。
【請求項１４】
前記外壁の外部を包囲するケースをさらに含む、請求項１に記載の二次電池。
【請求項１５】
前記ボディ部は、前記ケースの一側外壁内部に陥没して形成される、請求項１４に記載の二次電池。
【発明の詳細な説明】
【技術分野】
【０００１】
［関連出願の相互参照］
本出願は、２０１７年６月１５日付韓国特許出願第１０−２０１７−００７５８９５号に基づいた優先権の利益を主張し、当該韓国特許出願の文献に開示されている全ての内容は本明細書の一部として含まれる。
本発明は、二次電池に関し、より詳しくは、電解液を再注入する際に、電池の内部構造及び電解液が空気中に露出されることを最小化することができる二次電池に関する。
【背景技術】
【０００２】
物質の物理的反応や化学的反応を介して電気エネルギーを生成させて外部に電源を供給することになる電池（Ｃｅｌｌ、Ｂａｔｔｅｒｙ）は、各種の電子機器で取り囲まれている生活環境に従い、建物に供給される交流電源を獲得することができないか、直流電源が必要な場合に用いることになる。
【０００３】
このような電池の中で、化学的反応を利用する化学電池である一次電池と二次電池が一般に多く用いられているところ、一次電池は乾電池と通常称するもので消耗性電池である。一方、二次電池は、電流と物質の間の酸化及び還元の過程が多数回繰り返し可能な素材を用いて製造される再充電式電池である。つまり、電流によって素材に対する還元反応が行なわれると電源が充電され、素材に対する酸化反応が行なわれると電源が放電されるところ、このような充電−放電が反復的に行われることで電気が生成される。
【０００４】
特に、リチウム（Ｌｉ）を用いるリチウム電池は、電解質の形態に従ってリチウム金属電池、リチウムイオン電池、リチウム二次電池に分類することができる。
【０００５】
ここで、リチウム二次電池は、電解質が固体またはゲルの形態であるため、不意の事故で電池が破損されても電解質が外に漏れることがないので、発火や爆発の恐れが殆どないことから安定性が確保され、エネルギー効率が高いという利点がある。
【０００６】
また、堅固な金属外装を用いる必要がなく、用途に応じて多様な大きさと形状に製造することができ、３ｍｍ以下の厚さに製作が可能で重さも３０％以上減らすことができ、大量生産及び大型サイズへの製造が可能である。このような理由で、リチウム二次電池は現在商用化され、多様な分野で用いられている。
【０００７】
このようなリチウム二次電池は、充放電サイクルが繰り返される間、電極の表面と電解液の間の副反応により、正極と負極の結晶構造が崩壊され、電解液もまた枯渇して寿命が短縮される。特に、電解液の枯渇によるリチウムイオンの移動性の低下は内部抵抗の増加を引き起こし、セルは急激に性能が低下することになる。
【０００８】
最近、二次電池セルに電解液を更に注液し、二次電池セルの性能の低下を緩和すると共に、使用期間を延長させることができる多くの方法が提案された。その中で代表的に、セルの外装ケースを物理的方法でオープンしてから、注射器で注液した後に再シーリングする方法がある。しかし、このような方法は、電池の内部構造が空気中に露出されるので、電極の酸化及び電解液の変質が発生し得る。よって、これを防止するための追加的な費用が費やされる問題があった。
【０００９】
他の方法には、高分子材質のゴムなどの材料に注射器の針を刺して再注液した後、自体でシーリングを誘導する方法がある。しかし、このような方法は、一旦注射器の針が刺さった部分には孔が形成されることで材質の強度が弱くなるので、再注入の回数が制限される問題があった。
【発明の概要】
【発明が解決しようとする課題】
【００１０】
本発明が解決しようとする課題は、二次電池セルに電解液を再注入することができ、電池の内部構造及び電解液が空気中に露出されることを最小化することができる二次電池を提供することである。
【００１１】
本発明の課題等は以上で言及した課題に制限されず、言及されていないまた他の課題等は、下記の記載から当業者に明確に理解され得るはずである。
【課題を解決するための手段】
【００１２】
前記課題を解決するための本発明の実施形態に係る二次電池は、電極組立体及び電解液が内部に収容されている収容空間を包囲する外壁に柱状に形成され、内部に電解液が流動する流路を含むボディ部と、前記ボディ部の内部に前記ボディ部の長手方向に延長して形成され、一側端部が圧力を受けると、前記収容空間が位置した内側に向かって直線移動し、前記圧力が除去されると、外側に向かって直線移動するピンスイッチと、前記ボディ部の外周面に結合され、前記ピンスイッチの前記直線移動方向と平行な方向に移動する操作部と、前記操作部の中心部に突出して形成され、前記操作部の移動によって前記ピンスイッチの一側端部に圧力を印加する圧力印加部と、前記ピンスイッチの他側端部に形成され、前記ピンスイッチが前記内側に向かって直線移動する際に前記流路を開放し、前記外側に向かって直線移動する際に前記流路を閉鎖する開閉部とを含む。
【００１３】
また、弾性の性質を有し、前記圧力が除去されると、前記ピンスイッチに復元力を提供する弾性部をさらに含むことができる。
【００１４】
また、前記弾性部は、前記ピンスイッチの柱に沿って螺旋形に長く形成されてよい。
【００１５】
また、前記ピンスイッチの柱及び前記弾性部を包囲し、前記ピンスイッチの柱方向に延長して形成されるカバー部をさらに含むことができる。
【００１６】
また、前記カバー部は、耐食性の性質を有することができる。
【００１７】
また、前記ボディ部の内周面に結合され、内部に前記流路を含む支持台をさらに含むことができる。
【００１８】
また、前記ピンスイッチは、前記支持台を貫いて挿入され、前記ピンスイッチの一側端部は、前記支持台から外部に突出されてよい。
【００１９】
また、弾性の性質を有し、前記圧力が除去されると、前記ピンスイッチに復元力を提供する弾性部をさらに含み、前記弾性部は、前記支持台及び前記ピンスイッチを連結することができる。
【００２０】
また、前記電解液が前記流路に流出入し、前記支持台の内側端部及び外側端部にそれぞれ形成される第１及び第２流出入ホールをさらに含むことができる。
【００２１】
また、前記開閉部は、前記第１流出入ホールを開放または閉鎖することができる。
【００２２】
また、前記支持台は、前記ボディ部の内周面にねじ結合されてよい。
【００２３】
また、前記操作部は、前記電解液が前記流路に流出入する第３流出入ホールを含むことができる。
【００２４】
また、前記ボディ部は、外部に突出して形成されてよい。
【００２５】
また、前記外壁の外部を包囲するケースをさらに含むことができる。
【００２６】
また、前記ボディ部は、前記ケースの一側外壁内部に陥没して形成されてよい。
【００２７】
本発明のその他の具体的な事柄等は、詳細な説明及び図面等に含まれている。
【発明の効果】
【００２８】
本発明の実施形態等によれば、少なくとも次のような効果がある。
【００２９】
シュラダーバルブを利用して回数に制限なく二次電池セルに電解液を再注入する際に、電池の内部構造及び電解液が空気中に露出されることを最小化することができる。
【００３０】
また、操作部がバルブの上部に形成され、シュラダーバルブのピンスイッチが小さな衝撃にも圧力が印加されないように保護することができる。
【００３１】
また、使用者が操作部のみを操作することで、容易にシュラダーバルブの開閉を調節することができる。
【００３２】
本発明による効果は、以上で例示された内容によって制限されず、さらに多様な効果等が本明細書内に含まれている。
【図面の簡単な説明】
【００３３】
【図１】本発明の一実施形態に係る二次電池の概略図である。
【図２】本発明の一実施形態に係る二次電池にケースが含まれている様子を示した概略図である。
【図３】本発明の一実施形態に係るバルブの構造を示した図である。
【図４】本発明の一実施形態に係るピンスイッチの構造を示した図である。
【図５】本発明の一実施形態に係る操作部が、図３に示されているバルブを開放した様子の構造を示した図である。
【図６】本発明の一実施形態に係る操作部の平面図である。
【図７】本発明の他の実施形態に係るバルブの構造を示した図である。
【図８】本発明の他の実施形態に係る操作部が、図７に示されているバルブを開放した様子の構造を示した図である。
【発明を実施するための形態】
【００３４】
本発明の利点及び特徴、そしてそれらを達成する方法は、図面と共に詳しく後述されている実施形態等を参照すれば、明確になるはずである。しかし、本発明は、以下に開示される実施形態等に限定されるものではなく、互いに異なる多様な形態に具現されてよく、ただ、本実施形態等は、本発明の開示を完全にし、本発明の属する技術分野で通常の知識を有する者に発明の範疇を完全に知らせるために提供されるものであり、本発明は請求項の範疇によって定義すべきである。明細書全体にかけて同一の参照符号は同一の構成要素を指す。
【００３５】
別の定義がなければ、本明細書で用いられる全ての用語（技術及び科学的用語を含む）は、本発明の属する技術分野で通常の知識を有する者に共通的に理解され得る意味として用いられてよいはずである。また、一般に用いられる辞書に定義されている用語等は、明白に特に定義されていない限り、理想的にまたは過度に解釈されない。
【００３６】
本明細書で用いられた用語は、実施形態等を説明するためのものであり、本発明を制限しようとするものではない。本明細書における単数形は、文章で特に言及しない限り複数形も含む。明細書で用いられる『含んでいる（ｃｏｍｐｒｉｓｅｓ）』及び／または『含む（ｃｏｍｐｒｉｓｉｎｇ）』は、言及された構成要素以外の一つ以上の他の構成要素の存在または追加を排除しない。
【００３７】
以下、図面を参照しつつ、本発明の好ましい実施形態を詳しく説明する。
【００３８】
図１は、本発明の一実施形態に係る二次電池１の概略図である。
【００３９】
図１に示す通り、本発明の一実施形態に係る二次電池１は、電極組立体及び電解液が内部に収容される収容空間１１、前記収容空間１１を包囲する外壁１２、及び前記収容空間１１に電解液が注入されるバルブ２０を含む。
【００４０】
外壁１２は、二次電池１の収容空間１１を包囲し、電極組立体及び電解液の外部への離脱を防止する。もし二次電池１がパウチ型であれば、外壁１２は軟性の材質で製造され、外力によって形態が容易に変形され得る。もしくは、二次電池１が角形またはカン形であれば、外壁１２は剛性の材質で製造され、形態を変形するためには強い外力が必要であり得る。
【００４１】
バルブ２０は前記外壁１２に形成され、前記収容空間１１と外部を連結する。そして、収容空間１１の内部に収容された電解液の漏れを防止するとともに、外部から前記収容空間１１への電解液の注入は可能であるように形成される。バルブ２０に対する詳しい内容は後述する。
【００４２】
図２は、本発明の一実施形態に係る二次電池１にケース１３が含まれている様子を示した概略図である。
【００４３】
図２に示す通り、本発明の一実施形態に係る二次電池１は、外壁１２の外部を包囲するケース１３をさらに含むこともできる。このような場合は、前記バルブ２０がケース１３の外部に突出して形成されてもよいが、ケース１３の一側外壁１２の内部に陥没して形成されることが好ましい。バルブ２０が突出しないことで二次電池１の外観が美麗になって使用者に美感を提供し、ひいてはバルブ２０が外部から衝撃を受ける可能性を減少させて破損を防止することができる。ただし、これに制限されることなく、ケース１３が存在しなくともバルブ２０が外壁１２の内部に陥没して形成されてもよいなど、多様に形成されてよい。
【００４４】
図３は、本発明の一実施形態に係るバルブ２０の構造を示した図である。
【００４５】
図３に示す通り、本発明の一実施形態に係るバルブ２０は、電解液の流動を調節する。そして、前記二次電池１の外壁１２に形成されているボディ部２１、前記ボディ部２１の内周面に結合される支持台２３、前記支持台２３を貫いて挿入されるピンスイッチ２４、及び前記ピンスイッチ２４に対して圧力を印加する操作部２６を含む。
【００４６】
ボディ部２１は柱２４１の形状を有し、二次電池１の外壁１２に形成される。しかし、ボディ部２１は外壁１２に突出して形成してもよいが、これに制限することなく、外壁１２の内部に陥没して形成されてもよい。つまり、ボディ部２１は、電解液の流動を調節することができれば、制限なく多様に形成してよい。
【００４７】
支持台２３はボディ部２１の内周面に結合され、この際にねじ結合されることが好ましいが、これに制限することなく、ボルト結合、リベット結合などの多様な方法で結合してよい。支持台２３の内部には電解液が流動する流路２２が形成される。そして、両側端部に、流路２２へ電解液が流出入することができる流出入ホールがそれぞれ形成される。本発明の一実施形態によれば、ピンスイッチ２４を利用して流出入ホールを容易に開閉することで、電解液が空気中に露出されることを最小化することができる。前記流路２２は支持台２３の内部に形成されるが、もし支持台２３が別に形成されずにボディ部２１と一体に形成されるのであれば、前記流路２２はボディ部２１の内部に形成されてよい。
【００４８】
図４は、本発明の一実施形態に係るピンスイッチ２４の構造を示す図である。
【００４９】
本発明の一実施形態に係るピンスイッチ２４は、図４に示す通り、柱２４１、ヘッド２４２及び開閉部２４３を含む。
【００５０】
ピンスイッチ２４の柱２４１は、ボディ部２１の長手方向に延長して形成される。そして、支持台２３を貫いて流路２２の内部に位置する。このような柱２４１の両側端部には、それぞれヘッド２４２と開閉部２４３が形成される。
【００５１】
ヘッド２４２は、ピンスイッチ２４の外側端部に形成される。つまり、ピンスイッチ２４の両側端部のうち、二次電池１の外部向きの端部に形成される。ヘッド２４２は、柱２４１から外周面の半径方向に突出して形成される。よって、ピンスイッチ２４の柱２４１が貫通した支持台２３を、ヘッド２４２は貫通できない。つまり、ヘッド２４２は、ピンスイッチ２４全部が支持台２３に挿入されることを防止することで、弾性部２５がピンスイッチ２４の位置を容易に復帰させることができる。操作部２６は、このようなヘッド２４２に圧力を印加することで、ピンスイッチ２４が二次電池１の内部に向かって直線移動する。弾性部２５及び操作部２６に対する詳しい内容は後述する。
【００５２】
開閉部２４３は、ピンスイッチ２４の内側端部に形成される。つまり、ピンスイッチ２４の両側端部のうち、二次電池１の内側向きの端部に形成される。開閉部２４３も柱２４１から外周面の半径方向に突出して形成される。そして、操作部２６がヘッド２４２に圧力を印加すれば、開閉部２４３は流路２２の流出入ホールを開放し、前記圧力が除去されれば、開閉部２４３は流路２２の流出入ホールを閉鎖する。
【００５３】
図５は、本発明の一実施形態に係る操作部２６が、図３に示されているバルブ２０を開放した様子の構造を示した図である。
【００５４】
操作部２６は、ピンスイッチ２４に圧力を印加する。図３及び図５に示す通り、操作部２６は、ボディ部２１の外周面とねじ結合するボディ２６２、中心部からボディ部２１に向かって突出して形成される圧力印加部２６１を含む。
【００５５】
操作部２６のボディ２６２は、ボディ部２１の外周面及び上部をカバーするように結合する。もし操作部２６が存在しない場合、ピンスイッチ２４が支持台２３の外部に突出して衝撃の危険に晒される。つまり、ピンスイッチ２４が外部から衝撃を受け易く、このような衝撃によって破損され易いか、流出入ホールが簡単に開放され得る。しかし、操作部２６はボディ部２１の上部をカバーするので、ピンスイッチ２４が破損されるか、流出入ホールが使用者の意図と違って開放されることを防止することができる。
【００５６】
圧力印加部２６１は、操作部２６の中心部からピンスイッチ２４に向かって突出して形成される。そして、使用者が操作部２６を操作して操作部２６が移動すれば、それに従ってピンスイッチ２４の外側端部に形成されたヘッド２４２に圧力が印加される。したがって、ピンスイッチ２４が二次電池１の内部に向かって直線移動することができる。
【００５７】
操作部２６のボディ２６２は、ボディ部２１の外周面とねじ結合する。よって、ボディ部２１は外周面にねじ山が形成されて雄ねじの役割を担い、ボディ２６２は内周面にねじ山が形成されて雌ねじの役割を担う。操作部２６が例えば時計方向に回転すれば、ボディ２６２とボディ部２１は互いにねじ原理によって締められるので、ボディ２６２が二次電池１の内側に向かって移動する。そうすると、圧力印加部２６１がピンスイッチ２４のヘッド２４２に圧力を印加し、ピンスイッチ２４が二次電池１の内側に向かって直線移動することで開閉部２４３が流出入ホールを開放する。逆に、操作部２６が反時計方向に回転すれば、ボディ２６２とボディ部２１は互いに緩むので、ボディ２６２が二次電池１から遠くなるように移動する。そうすると、圧力印加部２６１がピンスイッチ２４のヘッド２４２に印加していた圧力が漸次減少し、ピンスイッチ２４が元の位置に復元されることで、開閉部２４３が流出入ホールを閉鎖する。
【００５８】
本発明の一実施形態に係る二次電池１のバルブ２０は、弾性部２５をさらに含む。弾性部２５は、ピンスイッチ２４と支持台２３を連結するか、ピンスイッチ２４とボディ部２１を連結する。そして、前記圧力が除去されると復元力を提供し、直線移動していたピンスイッチ２４を元の位置に復元させる。弾性部２５はスプリングのように、弾性を有する金属などの材質で一定の大きさの円を描きながら軸方向に長く延長して形成される、いわゆる螺旋形の形状を有することができる。ただし、これに制限されることなく、弾性力を生成してピンスイッチ２４に提供することができれば、弾性部２５の大きさ及び形状は多様に形成されてよい。
【００５９】
前記復元力の実体は、弾性部２５から生成される弾性力である。つまり、ピンスイッチ２４が直線移動しながら弾性部２５が変形されると、変形された程度と弾性係数に比例して弾性力が発生する。しかし、もし二次電池１のバルブ２０が弾性部２５を含まなければ、前記ピンスイッチ２４を元の位置に復元させるため、他の方式で復元力を提供することができる。例えば、支持台２３とピンスイッチ２４に磁石を付着して磁気力を生成することができ、電気を発生させて電気力を生成することもできる。つまり、前記圧力が除去される時にピンスイッチ２４を元の位置に復元させることができれば、制限なく多様な方法を用いることができる。
【００６０】
図３及び図５に示す通り、流路２２は両側が開放され、第１及び第２流出入ホール２３２が支持台２３の両側端部に形成される。電解液は、このような第１及び第２流出入ホール２３２を介して流出入し、流路２２を流動することができる。第１流出入ホール２３１は支持台２３の内側端部に形成される。つまり、支持台２３の両側端部のうち、二次電池１の内側向きの端部に形成される。前記ピンスイッチ２４の開閉部２４３は、圧力の印加及び除去の可否に従って第１流出入ホール２３１を開閉する。第１流出入ホール２３１の直径は開閉部２４３の直径より小さいことが好ましく、このため、支持台２３の内側端部は二次電池１の内側に向かうほど直径が漸次減少しながら延長して形成される。一方、開閉部２４３が第１流出入ホール２３１を閉鎖すると、開閉部２４３は支持台２３の内側端部と緊密に接触する。よって、流路２２が密閉されて電解液が第１流出入ホール２３１を介して漏れない。
【００６１】
一方、第２流出入ホール２３２は支持台２３の外側端部に形成される。つまり、支持台２３の両側端部のうち、二次電池１の外側向き端部に形成される。第２流出入ホール２３２は、ピンスイッチ２４の移動の可否に係わりなく常に開放されている。よって、電解液は第２流出入ホール２３２を介していつでも流出入することができる。しかし、前記で記述したところのように、第１流出入ホール２３１が閉鎖された場合は、電解液は第２流出入ホール２３２を介して流路２２に流動するとしても、二次電池１の内部に位置した収容空間１１に注入させることができない。
【００６２】
図６は、本発明の一実施形態に係る操作部２６の平面図である。
【００６３】
操作部２６は、図６に示す通り、上面に第３流出入ホール２６４を含む。本発明の一実施形態によれば、二次電池１内の電解液が枯渇しても、電解液注入器を連結することで電解液を別に注入して補充することができる。ところが、操作部２６がピンスイッチ２４を保護するためにボディ部２１の上部に形成されており、このような操作部２６はボディ部２１から離脱されないことが好ましい。よって、電解液注入器はボディ部２１に直接連結されず操作部２６に連結されてよい。
【００６４】
電解液注入器が操作部２６に連結された後、使用者が操作部２６を操作して第１流出入ホール２３１を開放すると、電解液が電解液注入器から吐き出される。そして、操作部２６の第３流出入ホール２６４を介してバルブ２０に電解液が流入されると、電解液は第２流出入ホール２３２及び第１流出入ホール２３１を順次通過して収容空間１１に注入される。よって、二次電池１の電解液が補充され得る。
【００６５】
操作部２６は、ボディ２６２と圧力印加部２６１を連結する連結部２６３をさらに含む。操作部２６の圧力印加部２６１は操作部２６の中心部に位置する。しかし、第３流出入ホール２６４が操作部２６の上面に形成されるので、連結部２６３が圧力印加部２６１をボディ２６２に連結させる。このような連結部２６３が操作部２６の上面を占める面積が小さいほど、第３流出入ホール２６４の面積が広くなるので、電解液の注入が容易である。しかし、電解液の注入圧力が大きくなるほど、連結部２６３が破損される可能性が高い。一方、連結部２６３が操作部２６の上面を占める面積が大きいほど、連結部２６３が破損される可能性が少ない。しかし、第３流出入ホール２６４の面積が狭くなるので、電解液の注入が容易でない。よって、連結部２６３の破損可能性を減少させながら電解液の注入が容易な、連結部２６３及び第３流出入ホール２６４の最適の面積が実験的に獲得され得る。
【００６６】
図６には、ボディ２６２と圧力印加部２６１を連結部２６３が連結するものと示されている。しかし、これに制限されることなく、別途の連結部２６３がなくボディ２６２と圧力印加部２６１が一体に形成されてもよい。このような場合は、第３流出入ホール２６４は、操作部２６の上面に別に打ち抜き作業を行うか、鋳物の注入を意図的に妨げて形成されてよい。
【００６７】
図７は、本発明の他の実施形態に係るバルブ２０の構造を示す図である。
【００６８】
本発明の他の実施形態に係る二次電池１のバルブ２０は、図７に示す通り、カバー部２７をさらに含む。以下、本発明の一実施形態に係る二次電池１に対する内容と重複する内容は説明を省略する。省略した内容は、前記で記述した本発明の一実施形態に係る二次電池１に対する内容から、通常の技術者が容易に類推することができる。よって、本発明の他の実施形態による二次電池１に対する内容が一部省略されても、通常の技術者はこれを容易に実施することができる。
【００６９】
前記で記述したところのように、弾性部２５は、ピンスイッチ２４の柱２４１を中心に螺旋形に形成される。カバー部２７は、図７に示す通り、このような弾性部２５及びピンスイッチ２４の柱２４１をカバーしながら、ピンスイッチ２４の柱２４１の長手方向に延長して形成される。
【００７０】
カバー部２７は、耐食性の強い、例えば、ポリマー材質で製造するのが好ましい。一般に、電解液は二次電池１の正極と負極の酸化及び還元反応を促進するので、腐食性が強い。ところが、本発明の一実施形態によれば、弾性部２５が流路２２内で露出しているので、電解液が注入される場合、弾性部２５は電解液とそのまま接触し得る。ところで、前記で記述したところのように、弾性部２５は弾性を有する金属などの材質で形成される。よって、腐食性の強い電解液によって弾性部２５が腐食され易いため、寿命が短縮されて交替のための費用及び努力が多く費やされる。
【００７１】
しかし、本発明の他の実施形態に係る二次電池１は、耐食性の強いカバー部２７が弾性部２５をカバーする。よって、弾性部２５と電解液の接触を防止することで、弾性部２５の寿命を延長させることができる。
【００７２】
図８は、本発明の他の実施形態に係る操作部２６が、図７に示されているバルブ２０を開放した様子の構造を示した図である。
【００７３】
カバー部２７は弾性部２５をカバーしており、ピンスイッチ２４のヘッド２４２から開閉部２４３まで延長して形成される。そして、カバー部２７がピンスイッチ２４のヘッド２４２及び開閉部２４３と接触する部分は密閉される。よって、電解液がカバー部２７の内部に流入されないため、弾性部２５と電解液の接触を防止することができる。これは、図８に示す通り、操作部２６が操作されてピンスイッチ２４が直線移動しても同様である。カバー部２７は、ピンスイッチ２４のヘッド２４２と開閉部２４３の間に形成されているので、ピンスイッチ２４が圧力を受けて移動すれば、前記ヘッド２４２及び開閉部２４３とともに移動する。よって、ピンスイッチ２４が直線移動しても、カバー部２７とヘッド２４２及び開閉部２４３の間の接触する部分は、密閉された状態が維持される。
【００７４】
ただし、弾性部２５が支持台２３と連結されるため、弾性部２５の一端部はカバー部２７を貫いて突出されてよい。このような場合は、弾性部２５の一端部が電解液と接触されて腐食が促進され得る。よって、カバー部２７を貫いて突出された弾性部２５の一端部は、図面に示されていないが、別途の耐食性の強い部材でカバーされてよい。つまり、本発明の他の実施形態によれば、弾性部２５と電解液の接触を防止することができれば、制限なく多様な方法を用いることができる。
【００７５】
本発明の属する技術分野の通常の知識を有する者は、本発明がその技術的思想や必須の特徴を変更しなくても、他の具体的な形態に実施可能であるということを理解することができるはずである。したがって、以上で記述した実施形態等は、全ての面で例示的なものであり、限定的なものではないと理解しなければならない。本発明の範囲は、前記詳細な説明よりは後述する特許請求の範囲によって示され、特許請求の範囲の意味及び範囲、そしてその均等概念から導き出される多様な実施形態が、本発明の範囲に含まれるものとして解釈されなければならない。
【符号の説明】
【００７６】
１  二次電池                              １１  収容空間
１２  外壁                                １３  ケース
２０  バルブ                              ２１  ボディ部
２２  流路                                ２３  支持台
２４  ピンスイッチ                        ２５  弾性部
２６  操作部                              ２７  カバー部
２３１  第１流出入ホール                  ２３２  第２流出入ホール
２４１  柱                                ２４２  ヘッド
２４３  開閉部                            ２６１  圧力印加部
２６２  ボディ                            ２６３  連結部
２６４  第３流出入ホール
【図１】
2019003942.tif 000003
【図２】
2019003942.tif 000004
【図３】
2019003942.tif 000005
【図４】
2019003942.tif 000006
【図５】
2019003942.tif 000007
【図６】
2019003942.tif 000008
【図７】
2019003942.tif 000009
【図８】
2019003942.tif 000010